(57)【要約】【課題】  送信側の通信端末が受信側の通信端末からのフロー制御信号を監視して省電力制御を行う。【解決手段】  送信側の通信端末から起動要求信号を送信して受信側の通信端末が受信したときに、受信側の通信端末が省電力モードから復帰し、送信側の通信端末と受信側の通信端末との間でデータ送受信を行う通信端末間の省電力制御方法において、受信側の通信端末は、受信データの処理状況に応じてＯＮ／ＯＦＦするフロー制御信号を送信側の通信端末に送信し、送信側の通信端末は、起動要求信号を送信した後にフロー制御信号を監視し、フロー制御信号がＯＮのときにデータ送信を行い、フロー制御信号がＯＦＦのときにデータ送信を停止するとともに省電力モードに移行し、再びフロー制御信号がＯＮになったときに省電力モードから復帰してデータ送信を再開する。【選択図】        図２
2008263281.tif 000002
【特許請求の範囲】
【請求項１】
データ送受信を行わない期間に消費電力を低減する省電力モードを有し、送信側の通信端末から起動要求信号を送信して受信側の通信端末が受信したときに、受信側の通信端末が省電力モードから復帰し、送信側の通信端末と受信側の通信端末との間でデータ送受信を行う通信端末間の省電力制御方法において、
前記受信側の通信端末は、受信データの処理状況に応じてＯＮ／ＯＦＦするフロー制御信号を前記送信側の通信端末に送信し、
前記送信側の通信端末は、前記起動要求信号を送信した後に前記フロー制御信号を監視し、前記フロー制御信号がＯＮのときにデータ送信を行い、前記フロー制御信号がＯＦＦのときにデータ送信を停止するとともに前記省電力モードに移行し、再び前記フロー制御信号がＯＮになったときに前記省電力モードから復帰してデータ送信を再開する
ことを特徴とする通信端末間の省電力制御方法。
【請求項２】
データ送受信を行わない期間に消費電力を低減する省電力モードを有し、送信側の通信端末から起動要求信号を送信して受信側の通信端末が受信したときに、受信側の通信端末が省電力モードから復帰し、送信側の通信端末と受信側の通信端末との間でデータ送受信を行う通信端末間の省電力制御システムにおいて、
前記受信側の通信端末は、受信データの処理状況に応じてＯＮ／ＯＦＦするフロー制御信号を前記送信側の通信端末に送信する手段を備え、
前記送信側の通信端末は、前記起動要求信号を送信した後に前記フロー制御信号を監視する手段と、前記フロー制御信号がＯＮのときにデータ送信を行い、前記フロー制御信号がＯＦＦのときにデータ送信を停止するとともに前記省電力モードに移行し、再び前記フロー制御信号がＯＮになったときに前記省電力モードから復帰してデータ送信を再開する制御手段とを備えた
ことを特徴とする通信端末間の省電力制御システム。
【請求項３】
データ送受信を行わない期間に消費電力を低減する省電力モードを有する通信端末において、
受信側の通信端末が受信データの処理状況に応じてＯＮ／ＯＦＦするフロー制御信号を監視し、フロー制御信号がＯＮのときにデータ送信を行い、フロー制御信号がＯＦＦのときにデータ送信を停止するとともに前記省電力モードに移行し、再びフロー制御信号がＯＮになったときに前記省電力モードから復帰してデータ送信を再開する構成である
ことを特徴とする通信端末。
【発明の詳細な説明】
【技術分野】
【０００１】
本発明は、内蔵電池からの電力供給を受けて動作する通信端末において、省電力モードとフロー制御を組み合わせて省電力制御を行う通信端末間の省電力制御方法、省電力制御システムおよび通信端末に関する。
【背景技術】
【０００２】
内蔵電池からの電力供給を受けて動作する通信端末には、データ送受信を行わない期間は省電力モードに設定し、必要最小限の回路のみに電力を供給し、その他の回路を休止させるスリープ状態にして消費電力を低減する機能が備わっている。このような省電力モードを搭載した通信端末間でデータ送受信を行う場合には、データ信号を送信する前に起動要求信号を用いて受信側の通信端末をスリープ状態から起動させ、その後にデータ信号の送信を開始する。
【０００３】
また、特許文献１では、データ送受信を行う通信端末間で、フロー制御を行うための制御信号の形態について提案されている。
【特許文献１】特開２００３−２４９９７６号公報
【発明の開示】
【発明が解決しようとする課題】
【０００４】
ところで、特許文献１に記載の通信端末間のフロー制御では、受信側の通信端末が受信データの処理状況に応じてフロー制御信号をＯＮ／ＯＦＦし、フロー制御信号がＯＮのときに送信側の通信端末がデータ信号を送信し、フロー制御信号がＯＦＦのときにデータ信号の送信を停止する機能は想定されていない。
【０００５】
また、従来の通信端末間の省電力制御では、データの間欠送受信などに合わせて省電力モードに設定する方法はあるが、通信端末間のフロー制御と組み合わせた省電力制御は行われていない。すなわち、従来の通信端末間のフロー制御において、送信側の通信端末がフロー制御によりデータ信号の送信を一時停止したとしても、その停止中に省電力モードになることは全く想定されていない。
【０００６】
本発明は、送信側の通信端末が受信側の通信端末からのフロー制御信号を監視して省電力制御を行う通信端末間の省電力制御方法、省電力制御システムおよび通信端末を提供することを目的とする。
【課題を解決するための手段】
【０００７】
第１の発明は、データ送受信を行わない期間に消費電力を低減する省電力モードを有し、送信側の通信端末から起動要求信号を送信して受信側の通信端末が受信したときに、受信側の通信端末が省電力モードから復帰し、送信側の通信端末と受信側の通信端末との間でデータ送受信を行う通信端末間の省電力制御方法において、受信側の通信端末は、受信データの処理状況に応じてＯＮ／ＯＦＦするフロー制御信号を送信側の通信端末に送信し、送信側の通信端末は、起動要求信号を送信した後にフロー制御信号を監視し、フロー制御信号がＯＮのときにデータ送信を行い、フロー制御信号がＯＦＦのときにデータ送信を停止するとともに省電力モードに移行し、再びフロー制御信号がＯＮになったときに省電力モードから復帰してデータ送信を再開する。
【０００８】
第２の発明は、データ送受信を行わない期間に消費電力を低減する省電力モードを有し、送信側の通信端末から起動要求信号を送信して受信側の通信端末が受信したときに、受信側の通信端末が省電力モードから復帰し、送信側の通信端末と受信側の通信端末との間でデータ送受信を行う通信端末間の省電力制御システムにおいて、受信側の通信端末は、受信データの処理状況に応じてＯＮ／ＯＦＦするフロー制御信号を送信側の通信端末に送信する手段を備え、送信側の通信端末は、起動要求信号を送信した後にフロー制御信号を監視する手段と、フロー制御信号がＯＮのときにデータ送信を行い、フロー制御信号がＯＦＦのときにデータ送信を停止するとともに省電力モードに移行し、再びフロー制御信号がＯＮになったときに省電力モードから復帰してデータ送信を再開する制御手段とを備える。
【０００９】
第３の発明は、データ送受信を行わない期間に消費電力を低減する省電力モードを有する通信端末において、受信側の通信端末が受信データの処理状況に応じてＯＮ／ＯＦＦするフロー制御信号を監視し、フロー制御信号がＯＮのときにデータ送信を行い、フロー制御信号がＯＦＦのときにデータ送信を停止するとともに省電力モードに移行し、再びフロー制御信号がＯＮになったときに省電力モードから復帰してデータ送信を再開する構成である。
【発明の効果】
【００１０】
本発明は、フロー制御による受信側の通信端末からの要求により送信側の通信端末がデータ送信を停止するときに、送信側の通信端末が省電力モードに移行して消費電力を低減することができる。これにより、データ送受信を行う双方の通信端末がデータ送受信を行わないときに省電力モードと合わせて、さらにシステム全体の消費電力を低減することができる。
【発明を実施するための最良の形態】
【００１１】
図１は、本発明の省電力制御システムおよび通信端末の構成例を示す。
図において、通信端末Ａおよび通信端末Ｂは、それぞれＣＰＵ１１、ＲＯＭ１２、ＲＡＭ１３、省電力制御部１４、Ｉ／Ｏ制御部１５、割込み制御部１６、データ送受信制御部１７を備える。省電力制御部１４は、ＣＰＵ１１からの命令により通信端末をスリープ状態へ移行し、スリープ状態時は割込み検出により通信端末を起動する制御を行う。通信端末ＡのＩ／Ｏ制御部１５と通信端末Ｂの割込み制御部１６との間で、起動要求信号INT Txおよびフロー制御信号Flow Rx を送受信する。通信端末ＢのＩ／Ｏ制御部１５と通信端末Ａの割込み制御部１６との間で、フロー制御信号Flow Tx および起動要求信号INT Rxを送受信する。通信端末Ａのデータ送受信制御部１７と通信端末Ｂのデータ送受信制御部１７との間で、データ送受信処理を行う。ＣＰＵ１１は、ＲＯＭ１２に格納されたプログラムに基づき、省電力制御部１４、Ｉ／Ｏ制御部１５、割込み制御部１６、データ送受信制御部１７に対して、以下に説明する一連の処理手順を制御する。
【００１２】
図２は、本発明による通信端末間の省電力制御例を示す。ここでは、データ送受信を行う通信端末Ａを送信側、通信端末Ｂを受信側とし、通信端末Ａが通信端末Ｂのフロー制御信号を監視して省電力モードに移行する例を示すが、データ送受信が逆方向の場合でも同様である。図３(1) は通信端末Ａの処理手順を示すフローチャートであり、図３(2) は通信端末Ｂの処理手順を示すフローチャートであり、図４は通信端末Ａの動作例を示すタイミングチャートである。以下、図１〜図４を参照して説明する。
【００１３】
まず前提として、通信端末Ｂは省電力モードのスリープ状態にあるものとする。通信端末ＡのＩ／Ｏ制御部１５は、通信端末Ｂに対するデータ送信要求が生じると、通信端末Ｂをスリープ状態から起動させる起動要求信号INT TxをＯＮにする（図３(1) ：Ｓ11，Ｓ12）。通信端末Ｂの割込み制御部１６は、起動要求信号INT TxがＯＮになって割込みを検出すると起動して受信準備を開始し（図３(2) ：Ｓ21，Ｓ22）、受信可能になったときにＩ／Ｏ制御部１５がフロー制御信号Flow Tx をＯＮにし（図３(2) ：Ｓ23，Ｓ24）、受信可能になったことを通信端末Ａに知らせる。
【００１４】
通信端末Ａの割込み制御部１６は、起動要求信号INT TxをＯＮにした後にフロー制御信号Flow Tx を監視し（図３(1) ：Ｓ13）、フロー制御信号Flow Tx がＯＮになるとデータ送受信制御部１７を制御してデータ送信を開始する（図３(1) ：Ｓ14）。そして、フロー制御信号Flow Tx がＯＮになっている限り、データ送信終了するまでデータ送信を繰り返し（図３(1) ：Ｓ13，Ｓ14，Ｓ15）、データ送信が終了すると起動要求信号INT TxをＯＦＦにし（図３(1) ：Ｓ16）、通信端末Ｂからのフロー制御信号Flow Tx がＯＦＦになるのを確認すると、省電力制御部１４の制御により省電力モードに移行してスリープ状態になり（図３(1) ：Ｓ17）、データ送信要求に対応する一連のデータ送信処理を終了する（図３(1) ：Ｓ18）。
【００１５】
一方、通信端末Ｂは、受信可能になってフロー制御信号Flow Tx をＯＮにすると、データ送受信制御部１７を制御してデータ受信を開始する（図３(2) ：Ｓ25）。そして、起動要求信号INT TxがＯＮになっている限りデータ受信を繰り返すが、このときバッファの蓄積状況などの受信状態から次データの受信が可能か否かを判断する（図３(2) ：Ｓ25，Ｓ26，Ｓ27）。データ受信を繰り返す中で起動要求信号INT TxがＯＦＦになった場合には、通信端末Ａのデータ送信終了と判断してフロー制御信号Flow Tx をＯＦＦにし（図３(2) ：Ｓ26，Ｓ28）、省電力制御部１４の制御により省電力モードに移行してスリープ状態に入り、データ受信処理を終了する（図３(2) ：Ｓ29，Ｓ30）。
【００１６】
ここで、通信端末Ｂは受信状態からデータ送信を一時止めてもらいたいときには、ステップＳ27の判断処理によりフロー制御信号Flow Tx をＯＦＦにし（図３(2) ：Ｓ31）、受信準備の状態に戻る（図３(2) ：Ｓ22）。そして、受信可能になるまでその状態を維持し、受信状態が改善したときにフロー制御信号Flow Tx をＯＮにし（図３(2) ：Ｓ23，Ｓ24）、受信可能になったことを通信端末Ａに知らせる。
【００１７】
通信端末Ａは、データ送信を繰り返す中で、ステップＳ13でフロー制御信号Flow Tx がＯＦＦになったことを検知すると、通信端末Ｂからのデータ送信停止要求と判断し、データ送信を一時停止して省電力モードに移行し、スリープ状態に入る（図３(1) ：Ｓ19）。ただし、省電力モードでもフロー制御信号Flow Tx を監視しており、フロー制御信号Flow Tx がＯＮになって送信許可（割り込み）を検出するとスリープ状態から起動し、続きのデータ送信を再開する（図３(1) ：Ｓ13，Ｓ14）。
【００１８】
なお、通信端末Ａにおいて、ステップＳ12とステップＳ13との間に、起動要求信号INT Txに対して通信端末Ｂがフロー制御信号Flow Tx をＯＮにするまでの通常の処理時間を待機時間として設定することが望ましい。これにより、ステップＳ12で起動要求信号INT TxをＯＮにし、所定の待機時間を経過してもフロー制御信号Flow Tx がＯＮにならない場合に、通信端末Ｂが通常の受信準備処理で受信可能な状態になっていないと判断し、通信端末ＡはステップＳ19で一旦省電力モードに移行する（図２の「＊」のタイミング）。そして、フロー制御信号Flow Tx がＯＮになった時点で、スリープ状態から起動してデータ送信を開始してもよい。
【００１９】
以上説明したように、通信端末Ａおよび通信端末Ｂは、それぞれ省電力モードに対応する機能と、フロー制御に対応する機能とを備え、さらに図３のフローチャートに示す制御処理を行う制御手段を備えることにより、フロー制御によるデータ送信停止時の省電力モードへの移行が可能になる。
【図面の簡単な説明】
【００２０】
【図１】本発明の省電力制御システムおよび通信端末の構成例を示す図。
【図２】本発明の通信端末間の省電力制御例のシーケンスを示す図。
【図３】通信端末Ａ，Ｂの処理手順を示すフローチャート。
【図４】通信端末Ａの動作例を示すタイミングチャート。
【符号の説明】
【００２１】
１１  ＣＰＵ
１２  ＲＯＭ
１３  ＲＡＭ
１４  省電力制御部
１５  Ｉ／Ｏ制御部
１６  割込み制御部
１７  データ送受信制御部
【図１】
2008263281.tif 000003
【図２】
2008263281.tif 000004
【図３】
2008263281.tif 000005
【図４】
2008263281.tif 000006